【手続補正書】
【提出日】平成16年3月22日(2004.3.22)
【手続補正１】
【補正対象書類名】明細書
【補正対象項目名】特許請求の範囲
【補正方法】変更
【補正の内容】
【特許請求の範囲】
【請求項１】
印刷媒体上にインク量の異なるＮ種類（Ｎは２以上の整数）のインク滴を選択的に吐出することにより１画素の領域にサイズが異なる前記Ｎ種類のドットを形成可能な印刷部を用いて印刷を行うために、前記印刷部に供給すべき印刷データを生成する印刷制御装置であって、
前記印刷部から前記Ｎ種類のインク滴のうちの少なくとも１つ以上の特定の種類のインク滴毎のインク量の誤差に関する情報を受け取る情報受信部と、
与えられた原画像データを処理することにより、印刷画像における各画素のドットの形成状態を表すドットデータを生成するドットデータ生成部と、
を備え、
前記ドットデータ生成部は、前記情報に応じて、前記インク量の誤差が前記特定の種類のインク滴毎に補償されたドットデータを生成するように構成されていることを特徴とする、印刷制御装置。
【請求項２】
請求項１記載の印刷制御装置であって、
前記ドットデータ生成部は、
前記原画像データの表色系を色変換テーブルを用いて変換することにより、前記印刷部が利用可能な複数の色成分で表された色変換画像データを生成する色変換部と、
前記色変換画像データの階調値を入力とし、前記Ｎ種類のドットのそれぞれの記録率の組合せを出力とする対応関係であって、前記情報が反映された補正済みの対応関係に基づいて、各画素毎に前記色変換画像データの階調値をＮ個の階調値のいずれかに変換するハーフトーン処理部と、
を備え、
前記ハーフトーン処理部は、前記インク量の誤差がないと仮定して予め準備された前記色変換画像データの階調値と前記Ｎ種類のドットのそれぞれの記録率の組合せとの間の基準対応関係と、前記情報とに応じて、前記補正済み対応関係を生成する、印刷制御装置。
【請求項３】
請求項２記載の印刷制御装置であって、
前記ハーフトーン処理部は、前記インク量の誤差を算入しないときの単位面積当たりに吐出される第１のインク量と前記インク量の誤差を算入したときの単位面積当たりに吐出される第２のインク量とを、前記基準対応関係に基づいて前記色変換画像データの階調値毎に算出するとともに、前記第１のインク量を前記第２のインク量で除した値を前記階調値に乗ずることにより前記補正済み対応関係を生成する、印刷制御装置。
【請求項４】
請求項２記載の印刷制御装置であって、
前記ハーフトーン処理部は、前記インク量の誤差を算入しないときの単位面積当たりに吐出される第１のインク量を、前記基準対応関係に基づいて前記色変換画像データの階調値毎に算出するとともに、前記インク量の誤差を算入したときの単位面積当たりに吐出される第２のインク量が前記第１のインク量に近づくように前記基準対応関係を調整することにより前記補正済み対応関係を生成する、印刷制御装置。
【請求項５】
請求項１記載の印刷制御装置であって、
前記ドットデータ生成部は、
前記原画像データの表色系を前記情報が反映された補正済み色変換テーブルを用いて変換することにより、前記印刷部が利用可能な複数の色成分で表された色変換画像データを生成する色変換部と、
前記色変換画像データの階調値を入力とし、前記Ｎ種類のドットのそれぞれの記録率の組合せを出力とする対応関係に基づいて、各画素毎に前記色変換画像データの階調値をＮ個の階調値のいずれかに変換するハーフトーン処理部と、
を備え、
前記色変換部は、前記インク量の誤差がないと仮定して設定された基準色変換テーブルと、前記情報とに応じて、前記補正済み色変換テーブルを生成する、印刷制御装置。
【請求項６】
印刷媒体上にインク量の異なるＮ種類（Ｎは２以上の整数）のインク滴を選択的に吐出することにより１画素の領域にサイズが異なる前記Ｎ種類のドットを形成可能な印刷部を用いて印刷を行うために、前記印刷部に供給すべき印刷データを生成する印刷制御方法であって、
（ａ）前記印刷部から前記Ｎ種類のインク滴のうちの少なくとも１つ以上の特定の種類のインク滴毎のインク量の誤差に関する情報を受け取る工程と、
（ｂ）与えられた原画像データを処理することにより、印刷画像における各画素のドットの形成状態を表すドットデータを生成する工程と、
を備え、
前記工程（ｂ）は、前記情報に応じて、前記インク量の誤差を前記特定の種類のインク滴毎に補償する工程を含むことを特徴とする、印刷制御方法。
【請求項７】
印刷媒体上にインク量の異なるＮ種類（Ｎは２以上の整数）のインク滴を吐出することにより１画素の領域にサイズが異なる前記Ｎ種類のドットを形成することにより印刷を行う印刷方法であって、
（ａ）前記印刷部から前記Ｎ種類のインク滴のうちの少なくとも１つ以上の特定の種類のインク滴毎のインク量の誤差に関する情報を受け取る工程と、
（ｂ）与えられた原画像データを処理することにより、印刷画像における各画素のドットの形成状態を表すドットデータを生成する工程と、
（ｃ）前記ドットデータに応じて、前記印刷媒体上に前記Ｎ種類のインク滴を吐出する工程と、
を備え、
前記工程（ｂ）は、前記情報に応じて、前記インク量の誤差を前記特定の種類のインク滴毎に補償する工程を含むことを特徴とする、印刷方法。
【請求項８】
印刷媒体上にインク量の異なるＮ種類（Ｎは２以上の整数）のインク滴を選択的に吐出することにより１画素の領域にサイズが異なる前記Ｎ種類のドットを形成可能な印刷部を用いて印刷を行うために、前記印刷部に供給すべき印刷データを生成するためのコンピュータプログラムであって、
前記コンピュータプログラムは、
前記印刷部から前記Ｎ種類のインク滴のうちの少なくとも１つ以上の特定の種類のインク滴毎のインク量の誤差に関する情報を受け取る機能と、
与えられた原画像データを処理することにより、印刷画像における各画素のドットの形成状態を表すドットデータを生成する機能と、
を前記コンピュータに実現させるプログラムを含み、
前記ドットデータを生成する機能は、前記情報に応じて、前記インク量の誤差を前記特定の種類のインク滴毎に補償する機能を含むことを特徴とする、コンピュータプログラム。
【手続補正２】
【補正対象書類名】明細書
【補正対象項目名】０００６
【補正方法】変更
【補正の内容】
【０００６】
【課題を解決するための手段およびその作用・効果】
上述の課題の少なくとも一部を解決するため、本発明は、印刷媒体上にインク量の異なるＮ種類（Ｎは２以上の整数）のインク滴を選択的に吐出することにより１画素の領域にサイズが異なる前記Ｎ種類のドットを形成可能な印刷部を用いて印刷を行うために、前記印刷部に供給すべき印刷データを生成する印刷制御装置であって、前記印刷部から前記Ｎ種類のインク滴のうちの少なくとも１つ以上の特定の種類のインク滴毎のインク量の誤差に関する情報を受け取る情報受信部と、与えられた原画像データを処理することにより、印刷画像における各画素のドットの形成状態を表すドットデータを生成するドットデータ生成部と、を備える。前記ドットデータ生成部は、前記情報に応じて、前記インク量の誤差が前記特定の種類のインク滴毎に補償されたドットデータを生成するように構成されていることを特徴とする。


【手続補正３】
【補正対象書類名】明細書
【補正対象項目名】０００７
【補正方法】変更
【補正の内容】
【０００７】
本発明によれば、インク量の異なる複数種類のインク滴うちの少なくとも１つの特定の種類のインク滴について、特定の種類のインク滴毎にインク量の誤差を補償するようにドットデータを生成することができるので、異なる種類のインク滴毎にインク量の誤差がばらつくような場合にも、色をより正確に再現することができる。